(57)【要約】【課題】比較的長いピストンロッドを有するエアダンパを使用する場合に、引き戸が閉じる際に、ピストンロッドがエアシリンダ中で引っかかることがなく閉じることができる、引き戸の速度調節装置を提供する。【解決手段】引き戸２にエアダンパ１１が設けられ、エアダンパ１１はエアシリンダ１１ｃとこのエアシリンダ１１ｃから出没可能なピストンロッド１１ｂを有し、ピストンロッド１１ｂの先端部１１ａに当接するための吸着部１０が戸枠に設けられた引き戸２の速度調節装置１ａ，１ｂ，１ｃにおいて、ピストンロッド１１ｂの先端部１１ａには円柱状磁石が設けられ、吸着部１０には当該円柱状磁石と略同径で磁性が異なる円柱状磁石が設けられ、引き戸２を閉じるときに円柱状磁石どうしの接合面がほぼ一致して当接する。【選択図】  図１
2006070686.tif 000002
【特許請求の範囲】
【請求項１】
引き戸にエアダンパが設けられ、前記エアダンパはエアシリンダと当該エアシリンダから出没可能なピストンロッドを有し、前記ピストンロッドの先端部に当接するための吸着部を備えたストッパが戸枠に設けられた引き戸の速度調節装置において、
前記ピストンロッドの先端部には円柱状磁石が設けられ、前記吸着部には前記円柱状磁石と略同径で磁性が異なる円柱状磁石が設けられていることを特徴とする引き戸の速度調節装置。
【請求項２】
前記吸着部は、傾斜可能な遊びを有して前記ストッパに設けられている請求項１記載の引き戸の速度調節装置。
【請求項３】
戸枠にエアダンパが設けられ、前記エアダンパはエアシリンダと当該エアシリンダから出没可能なピストンロッドを有し、前記ピストンロッドの先端部に当接するための吸着部を備えた固定部が引き戸に設けられた引き戸の速度調節装置において、
前記ピストンロッドの先端部には円柱状磁石が設けられ、前記吸着部には前記円柱状磁石と略同径で磁性が異なる円柱状磁石が設けられていることを特徴とする引き戸の速度調節装置。
【請求項４】
前記吸着部は、傾斜可能な遊びを有して前記固定部に設けられている請求項３記載の引き戸の速度調節装置。
【請求項５】
前記ピストンロッドの先端部は、傾斜可能な遊びを有して前記ピストンロッドに設けられている請求項１〜４のいずれかに記載の引き戸の速度調節装置。
【発明の詳細な説明】
【技術分野】
【０００１】
本発明は、引き戸を閉じる際の引き戸の速度調節装置に関する。
【背景技術】
【０００２】
安全性や消音性が要求される引き戸に対し、従来から様々な引き戸の速度調節装置が開発され、その装置の一部としてエアダンパが用いられている。このエアダンパの外筒であるエアシリンダ中の空気は引き戸が閉じる際に圧縮され、引き戸がその空気抵抗を受けて減速することにより速度は緩和され、急激に閉まることを防止することにより安全性や消音性を高めている。特許文献１には、引き戸にエアシリンダを固定し、エアシリンダから引き出されるピストンロッドの先端と戸枠の少なくとも一方に磁石を設けた引き戸のエアダンパが提案されている。この磁石により、ピストンロッドの先端と戸枠とを接合して引き戸の開放時にエアシリンダからピストンロッドを引き出すことが可能となり、エアダンパとしての機能が継続される。
【０００３】
【特許文献１】特開２００２−３４９１２９号公報
【発明の開示】
【発明が解決しようとする課題】
【０００４】
しかしながら、近年、病院や老人ホーム等のように、その安全性が特に求められる場所においては、ピストンロッドが短いエアダンパを使用した場合、閉じ始めの引き戸の移動速度は調節されず、お年寄りや子供等に対して安全性に問題があった。そこで一旦開放されてもすぐには閉じず、比較的長い時間をかけてゆっくりと閉じることができる引き戸が求められており、引き戸の閉じ速度を長い距離において調節できるエアダンパ、特にピストンロッドが長いものが必要となっている。
【０００５】
一方、図５に示す従来のエアダンパ２１のエアシリンダ２２とピストンロッド２３との間には、ピストンロッド２３が出没可能とするために摩擦が発生しない程度の、図示しないわずかな隙間が設けられている。このため、長いピストンロッド２３を擁するエアダンパ２１を用いると、引き戸の開放時に自重の影響を受けてピストンロッド２３の先端部２４が下へ下がることによりピストンロッド２３が傾き、ピストンロッド２３とエアシリンダ２２とが距離Ａだけずれてしまう。このことにより、引き戸が閉じる時にピストンロッド２３が傾いたまま、距離Ａのずれを解消しながら移動するとピストンロッド２３とエアシリンダ２２との間に引っかかりによる摩擦が発生して引き戸が閉じにくくなり、装置の故障の原因にもなるという課題が生じている。
【０００６】
特許文献１のエアダンパの場合、図６に示す正面断面図ように、ピストンロッド３１の先端部は磁石カバー３３とその中に備わる磁石３２とを有し、止ねじ３４でピストンロッド３１に固定されている。このため磁石３２の中には空洞が存在し、ここにおいては磁力が弱く、また接合面を磁石としていない。また、吸着片４１がピストンロッド３１を引き出す程度の磁力であれば足りるとして、ブラケット４０に設けられている吸着片４１は薄い板状のものであり、磁石３２と吸着可能であれば磁石に限定していない。このため、磁力による磁石３２と吸着片４１が引き合う力は弱く、また、磁束密度も一様ではない。
【０００７】
ここで長さが先述の比較的長いピストンロッドである場合、特許文献１の磁石３２を使用した場合について説明する。図６（ａ）に示すように、当接する直前のピストンロッド３１の先端部と吸着片４１とは先述のように互いが上下にずれている。磁石３２の中心位置がずれている状態で瞬時に磁石３２と吸着片４１とが当接するときに、磁力により互いに引き合う力が働くが、磁石３２の中央部においては磁力が弱く磁束密度が一様でないため、図６（ｂ）のように中心位置まで誘引させることができず互いに中心位置がずれた状態で当接してしまう。従って引き戸が閉じる際に、ピストンロッドが傾いたままエアシリンダに収容されることとなり、ピストンロッドがエアシリンダ中で引っかかるため、引き戸が閉じにくい。
【０００８】
そこで本発明は、以上の課題を解決するためになされたもので、比較的長いピストンロッドを有するエアダンパを使用する場合に、引き戸が閉じる際に、ピストンロッドが傾かずにエアシリンダに収容され、ピストンロッドがエアシリンダ中で引っかかることがなく引き戸を閉じることができる、引き戸の速度調節装置を提供することを目的とする。
【課題を解決するための手段】
【０００９】
以上の課題を解決するために、本発明は、引き戸にエアダンパが設けられ、前記エアダンパはエアシリンダと当該エアシリンダから出没可能なピストンロッドを有し、前記ピストンロッドの先端部に当接するための吸着部を備えたストッパが戸枠に設けられた引き戸の速度調節装置において、前記ピストンロッドの先端部には円柱状磁石が設けられ、前記吸着部には前記円柱状磁石と略同径で磁性が異なる円柱状磁石が設けられていることを特徴とする引き戸の速度調節装置である。
【００１０】
このような構成とすることにより、ピストンロッドの先端部に設けられた円柱状磁石と、吸着部に設けられた円柱状磁石とが、互いに強い磁力により引き合うことができ、引き戸を閉じるときに、互いの磁石の位置が上下方向にずれていても、互いの円柱状磁石が同径であるため磁石の接合面がほぼ一致して当接する。このため、ピストンロッドの位置ずれを解消することができ、引き戸が閉じる際に、ピストンロッドが傾かずにエアシリンダに収容され、ピストンロッドがエアシリンダ中で引っかからずにスムーズに引き戸を閉じることができる。ここで、同径とは円柱状磁石の接合面（円）の直径が同一の長さであることを意味する。
【００１１】
また、本発明は、戸枠にエアダンパが設けられ、前記エアダンパはエアシリンダと当該エアシリンダから出没可能なピストンロッドを有し、前記ピストンロッドの先端部に当接するための吸着部を備えた固定部が引き戸に設けられた引き戸の速度調節装置において、前記ピストンロッドの先端部には円柱状磁石が設けられ、前記吸着部には前記円柱状磁石と略同径で磁性が異なる円柱状磁石が設けられていることを特徴とする引き戸の速度調節装置である。
【００１２】
このような構成とすることにより、吸着部に設けられた円柱状磁石と、ピストンロッドの先端部に設けられた円柱状磁石とが、互いに強い磁力により引き合うことができ、引き戸を閉じるときに、互いの磁石の位置が上下方向にずれていても、互いの円柱状磁石が同径であるため磁石の接合面がほぼ一致して当接する。このため、同様の作用効果により、ピストンロッドがエアシリンダ中で引っかからずにスムーズに引き戸を閉じることができる。
【００１３】
ここで、前記吸着部を、傾斜可能な遊びを有して前記ストッパまたは前記固定部に設ければ、引き戸を閉じるときにピストンロッドが傾いて先端部が下にずれていても、吸着部は傾斜可能な遊びを有しているため、前記ストッパまたは前記固定部との接合面がずれないように接合することが容易となる。また、ピストンロッドがエアシリンダに収容される際に、吸着部の遊びによって、吸着部の位置を調整することができ、ピストンロッドは軸ずれを起こさずにエアシリンダに収容されやすくなる。
【００１４】
更に、前記ピストンロッドの先端部を、傾斜可能な遊びを有するように前記ピストンロッドに設ければ、吸着部が傾斜可能な遊びを有している場合と同様の効果を得ることができ、ピストンロッドは軸ずれを起こさずにエアシリンダに収容されやすくなる。
【発明の効果】
【００１５】
本発明によると、引き戸が閉じる際に、ピストンロッドが傾かずにエアシリンダに収容されるため、ピストンロッドがエアシリンダ中で引っかからずに閉じることができる。
【発明を実施するための最良の形態】
【００１６】
以下、本発明をその実施形態に基づいて説明する。
図１は、本発明の実施形態に係る速度調節装置が設けられた引き戸の開閉時の動きを示す正面図であり、（ａ）は引き戸が閉じた状態、（ｂ）は引き戸が開く途中または閉じる途中の状態、（ｃ）は引き戸が開いた状態を示している。
【００１７】
図１（ａ）を用いて、引き戸２が閉じている時の状態の速度調節装置１ａを説明する。引き戸２は戸枠である戸尻３ａに接している。引き戸２の上方には車輪５が固定された固定部６が設けられており、車輪５がレール７上を回転することによって引き戸２が移動する。また、レール７の上側の一端には、ストッパ４が設けられ、戸尻３ａ（戸枠）に固定されている。固定部６にはエアダンパ１１が固定されており、エアダンパ１１の先端部１１ａには図示しない円柱状の磁石が設けられている。また、ストッパ４に設けられた吸着部１０には、先端部１１ａの円柱状磁石と磁性の異なる円柱状磁石が設けられており、先端部１１ａは吸着部１０と接合している。
【００１８】
次に、引き戸２を開く時の速度調節装置１ｂについて説明する。引き戸２を開けようとする者は、引き戸２を図１（ａ）の右側へ移動させる。このとき、引き戸２の上方に固定されている車輪５が回転移動することにより引き戸２は開放される。この時、先端部１１ａと吸着部１０とは磁力により接合しているため、エアダンパ１１のエアシリンダ１１ｃからピストンロッド１１ｂが伸びながら引き戸２は移動する。ここで、引き戸２は手動で開放されるものに限定されるものではなく、自動で開放されても良い。
【００１９】
図１（ｂ）はピストンロッド１１ｂの長さが最大長に達した状態を示しており、更に引き戸２を開放し続けると、先端部１１ａと吸着部１０とが離れる。更に引き戸２を開放し続けると、ピストンロッド１１ｂはその長さを保ちながら開放され、図１（ｃ）の速度調節装置１ｃに示すように、引き戸２は戸先３ｂに当接することにより全開となる。この時、ピストンロッド１１ｂの先端部１１ａは、重力の影響を受けてその重さにより下に下がり、ピストンロッド１１ｂが傾く。
【００２０】
引き戸２を閉じる時は、引き戸２が図示しない装置により、図１（ｃ）の状態から自動的に戸尻３ａ方向に引き寄せられながら閉じる。この時、図１（ｂ）の速度調節装置１ｂに示すように、ピストンロッド１１ｂの先端部１１ａに設けられた図示しない円柱状磁石と、吸着部１０に設けられた図示しない円柱状磁石とが、互いの磁力により引き合うことにより、ピストンロッド１１ｂの先端部１１ａは吸着部１０に当接する。この場合、ピストンロッド１１ｂが下に傾いて先端部１１ａの位置が下にずれていても、互いに引き合う力が働くため、磁石の接合面がほぼ一致して当接する。このため、ピストンロッド１１ｂの傾きを修正して、ピストンロッド１１ｂの先端部１１ａの位置ずれを解消することができる。
【００２１】
従って、引き戸２が閉じる際に、ピストンロッド１１ｂが傾かずにエアシリンダ１１ｃに収容されるため、ピストンロッド１１ｂがエアシリンダ１１ｃ中で引っかからずにスムーズに引き戸２を閉じることができ、図１（ａ）の速度調節装置１ａとなる。
【００２２】
図２に、吸着部１０にピストンロッドの先端部１１ａが当接している拡大断面図を示す。吸着部１０は磁石カバー１２とその中に固着される磁石１５とから構成されている。また、ピストンロッド１１ｂの先端部１１ａにおいても同様に磁石カバー１３とその中に固着される磁石１６とから構成されている。ここで、磁石１５，１６の一方はＮ極であり、磁石１５，１６の他方はＳ極とし、互いに磁性が異なっている。磁石１５，１６は永久磁石であり、半永久的に使用できるものである。
【００２３】
磁石１５，１６は略同径状の円柱であり、接合面１５’，１６’の直径Ｂ，Ｃは略同一であるため磁石の接合面１５’，１６’の面積は略同一である。このため、接合面１５’，１６’が当接する直前においては、磁石１５と磁石１６とが向かい合う領域において一様な磁界が形成されている。従って、接合面１５’と接合面１６’とがずれないように、磁石１５と磁石１６とが接合する。その結果、ピストンロッド１１ｂは軸ずれを起こさずにエアシリンダ１１ｃに収容される。
【００２４】
ピストンロッド１１ｂの先端部１１ａは、吸着部１０と離れている間は、重量の影響を受けて位置が下にずれるため、重量が過大となると良くない。このため一様な強い磁力を確保するためには、吸着部１０の磁石１５を大きくする必要があり、奥行きＤを大きくすることが好ましい。また、磁石１５，１６の奥行きＤ，Ｅの関係として、ＤはＥ以上であることが望ましい。ただし、ピストンロッド１１ｂのずれを解消できるほどの強い磁力を発揮できるものであれば距離Ｄは距離Ｅと同等程度でも良い。また、本実施形態では、奥行きＥはピストンロッド１１ｂの太さＦと同等程度であり、直径Ｂ，Ｃはピストンロッド１１ｂの太さＦの約２倍程度としている。
【００２５】
ここで、円柱状磁石１５，１６の径が互いに異なると、ピストンロッド１１ｂが傾いて先端部１１ａが下にずれたまま、先端部１１ａと吸着部１０とが当接する場合があり、そのずれを修正することができないため好ましくない。また、磁石１５，１６は角柱とすると、当接する時に接合面がずれる、即ち接合面において角柱表面の辺と辺が一致せずに当接する場合には、先端部と吸着部とが互いに誘引する磁力が一様とならず、ピストンロッド１１ｂとエアシリンダ１１ｃとのずれを修正できない場合があり好ましくない。ただし、先端部と吸着部の角柱の接合面どうしが完全に一致して当接するのであれば、互いに誘引する磁力が一様となるため用いても良い。
【００２６】
また、図２において、磁石１５，１６の接合面１５’，１６’の少なくとも一方に緩衝片を設けることができる。緩衝片はゴム製であることが好ましく、磁石１５，１６が当接する時の消音効果、破損防止効果等を期待できる。ここで緩衝片の厚さは合計として１〜２ｍｍ程度が望ましく、２ｍｍを超えると、この緩衝片を介在することにより接合面１５’，１６’において互いに引き合う磁力が弱まり磁石の位置ずれを生じやすくなり、１ｍｍ未満では、消音や破損防止等の効果は期待できない。また、素材はこれに限定するものではなく、これらの効果が期待できるものであればプラスチック製やその他の材質とすることもできる。
【００２７】
更に、図２においては吸着部１０を直接ストッパ４に固定しているが、図３のように遊びを設けて固定することもできる。図３は、吸着部１０が遊びを有してストッパ４ａに設けられたことを示す正面断面図である。図３に示すように、吸着部１０はネジ２１とナット２２によりストッパ４ａに固定されており、ネジ２１にはバネ２３が備えられている。このバネ２３が吸着部１０とストッパ４ａとを離間させることにより、隙間２５が生じている。更に、ストッパ４ａにはネジ２１を通すための貫通孔２４が設けられており、この貫通孔２４の直径βをネジ２１の太さαよりも大きくすることにより、貫通孔２４とネジ２１との間には隙間が設けられている。その結果、ネジ２１は所定の範囲内で上下方向あるいは水平方向に可動となり、上記の構造が遊びとして機能し、吸着部１０は、傾斜可能な遊びを有してストッパ４ａに設けられた構造となる。
【００２８】
このように、ネジ２１は、貫通孔２４の範囲内で貫通孔２４を支点として傾斜することが可能となるため、吸着部１０は、ネジ２１を支軸として隙間２５の範囲内でわずかに動いて上下方向や水平方向に傾斜することができる。ここで、ストッパ４ａの形状として、吸着部１０がネジ２１とナット２２により固定されるために、中空状とすることが望ましい。
【００２９】
上記の構造によると、引き戸を閉じるときに、ピストンロッド１１ｂが傾いて先端部１１ａが下方にずれていても、吸着部１０は傾斜可能な遊びを有しているため、接合面１５’と接合面１６’とがずれないように、磁石１５と磁石１６とが接合することが容易となる。また、ピストンロッド１１ｂがエアシリンダ１１ｃに収容される際に、吸着部１０の遊びによって、吸着部１０の位置を調整することができ、ピストンロッド１１ｂは軸ずれを起こさずにエアシリンダ１１ｃに収容されやすくなる。
【００３０】
本実施形態では、吸着部１０が傾斜可能な遊びを有する構造としているが、ピストンロッド１１ｂの先端部１１ａが、ピストンロッド１１ｂに対して傾斜可能な遊びを有するようにしても良い。これにより、同様の効果を得ることができる。更に、吸着部１０と先端部１１ａの両方に傾斜可能な遊びを有して設けても、同様の効果を得ることができる。
【００３１】
次に、本発明における、他の実施形態について説明する。
図４は、本発明の他の実施形態に係る速度調節装置が設けられた引き戸の開閉時の動きを示す正面図であり、（ａ）は引き戸が閉じた状態、（ｂ）は引き戸が開く途中または閉じる途中の状態、（ｃ）は引き戸が開いた状態を示している。
【００３２】
図４（ａ）において、引き戸２が閉じている時の状態の速度調節装置１０１ａを説明する。戸尻３ａ（戸枠）にはエアダンパ１１１が図示しない固定手段により固定されており、エアダンパ１１１の先端部１１１ａには図示しない円柱状の磁石が設けられている。また、引き戸２の上方には車輪５が固定された固定部６が設けられており、固定部６には吸着部１１０が固定されて、車輪５がレール７上を回転することによって引き戸２が移動する。吸着部１１０には、先端部１１１ａの円柱状磁石と磁性の異なる円柱状磁石が設けられており、先端部１１１ａと吸着部１１０とは接合している。
【００３３】
次に、引き戸２を開く時および閉じる時の速度調節装置１０１ｂ，１０１ｃを図４（ｂ），図４（ｃ）に示しており、吸着部１１０とピストンロッド１１１ｂの先端部１１１ａとの関係は図１と同様である。従って、引き戸２を閉じる時は、自動的に戸尻３ａ方向に引き寄せられながら閉じる。この時、吸着部１１０に設けられた図示しない円柱状磁石と、ピストンロッド１１１ｂの先端部１１１ａに設けられた図示しない円柱状磁石とが、互いの磁力により引き合うことにより、吸着部１１０はピストンロッド１１１ｂの先端部１１１ａに当接する。この場合、ピストンロッド１１１ｂが下に傾いて先端部１１１ａの位置が下にずれていても、互いに引き合う力が働くため、磁石の接合面がほぼ一致して当接する。このため、ピストンロッド１１１ｂの傾きを修正して、ピストンロッド１１１ｂの先端部１１１ａの位置ずれを解消することができる。従って、引き戸２が閉じる際に、ピストンロッド１１１ｂがエアシリンダ１１１ｃ中で引っかからずにスムーズに引き戸２を閉じることができる。
【００３４】
ここで、前述した吸着部１０やピストンロッド１１ｂの先端部１１ａのように、吸着部１１０を傾斜可能な遊びを有して固定部６に設けたり、ピストンロッド１１１ｂの先端部１１１ａを、ピストンロッド１１１ｂに傾斜可能な遊びを有して設けたりしても良い。これらにより、引き戸を閉じるときに、ピストンロッド１１１ｂが傾いて先端部１１１ａが下にずれていても、吸着部１１０あるいは先端部１１１ａは傾斜可能な遊びを有しているため、吸着部１１０と先端部１１１ａとの接合面がずれないように、互いの磁石を接合することが容易となる。また、ピストンロッド１１１ｂがエアシリンダ１１１ｃに収容される際に、吸着部１１０あるいは先端部１１１ａの遊びによって、吸着部１１０の位置を調整することができ、ピストンロッド１１１ｂは軸ずれを起こさずにエアシリンダ１１１ｃに収容されやすくなる。更に、吸着部１１０と先端部１１１ａの両方に傾斜可能な遊びを有して設けても、同様の効果を得ることができる。
【００３５】
また、エアダンパ１１，１１１は複数設けても良く、引き戸のエアダンパに対する衝撃を分散させることにより耐久性を向上させることも可能である。また、以上の説明においては引き戸が自動で閉じるものについて適用する場合を示したが、手動で閉じる場合においても同様に適用することができる。
【００３６】
本発明の引き戸２の速度調節装置は、引き戸２を閉じるときに、ピストンロッド１１ｂ，１１１ｂが傾かずにエアシリンダ１１ｃ，１１１ｃに収容されるため、ピストンロッド１１ｂ，１１１ｂがエアシリンダ１１ｃ，１１１ｃ中で引っかかることがなく引き戸２を閉じることができる。このことにより、長いピストンロッド１１ｂ，１１１ｂを有する長いエアダンパ１１，１１１を使用可能となる。従って、病院や老人ホーム等のように、その安全性が特に求められる場所においては、引き戸の速度調節が長い距離に亘ってなされ、お年寄りや子供等がゆっくり歩いても引き戸にぶつかることを防止することができ、安全である。
【産業上の利用可能性】
【００３７】
本発明は、引き戸の速度調節装置として幅広く利用することができ、病院や老人ホーム等の場所において、その安全性が求められる場合において特に有効である。
【図面の簡単な説明】
【００３８】
【図１】本発明の実施形態に係る速度調節装置が設けられた引き戸の開閉時の動きを示す正面図であり、（ａ）は引き戸が閉じた状態、（ｂ）は引き戸が開く途中または閉じる途中の状態、（ｃ）は引き戸が開いた状態である。
【図２】吸着部にピストンロッドの先端部とが当接していることを示す拡大断面図である。
【図３】吸着部が遊びを有してストッパに設けられたことを示す正面断面図である。
【図４】本発明の他の実施形態に係る速度調節装置が設けられた引き戸の開閉時の動きを示す正面図であり、（ａ）は引き戸が閉じた状態、（ｂ）は引き戸が開く途中または閉じる途中の状態、（ｃ）は引き戸が開いた状態を示している。
【図５】従来のエアダンパを示す図である。
【図６】従来のエアダンパの示す図である。
【符号の説明】
【００３９】
１ａ，１ｂ，１ｃ，１０１ａ，１０１ｂ，１０１ｃ  引き戸の速度調節装置
２  引き戸
３ａ  戸尻
３ｂ  戸先
４，４ａ  ストッパ
５  車輪
６  固定部
７  レール
１０，１１０  吸着部
１１，１１１  エアダンパ
１１ａ，１１１ａ  先端部
１１ｂ，１１１ｂ  ピストンロッド
１１ｃ，１１１ｃ  エアシリンダ
１２，１３  磁石カバー
１５，１６  磁石
１５’，１６’  接合面
２１  ネジ
２２  ナット
２３  バネ
２４  貫通孔
２５  隙間
Ａ  距離
Ｂ，Ｃ  直径
Ｄ，Ｅ  奥行き
Ｆ  ピストンロッドの太さ
α  ネジの太さ
β  貫通孔の直径
【図１】
2006070686.tif 000003
【図２】
2006070686.tif 000004
【図３】
2006070686.tif 000005
【図４】
2006070686.tif 000006
【図５】
2006070686.tif 000007
【図６】
2006070686.tif 000008